(57)【要約】【課題】本発明は、Ｘ線管を有するマンモグラフィ装置に関する。【解決手段】　一体形金属製外囲体の形態のＸ線管は、外囲体それ自体の厚さによって形成された、放射線に対する防護装置と、外囲体を冷却する空気経路の形態の冷却装置と、セラミックコネクタの形態の電気絶縁装置とを備える。空気回路は、最初にアノードのモータを冷却し、次いでカソードを冷却し、次にアノードそれ自体を冷却するように構成される。温度センサはアノードの近傍に配置される。温度がアノードの近傍で測定される場合、ユニット全体の温度が制御され、かつ全幅が縮小される。【選択図】　　　図１
2004103585.tif 000002
【特許請求の範囲】
【請求項１】
（ａ）回転アノードとカソードとを有する真空外囲体と、
　（ｂ）前記外囲体を直接冷却する流れ回路を含む冷却手段と、
　（ｃ）ゴム継手によって取付けられたセラミックコネクタを含む電気絶縁手段と、
　（ｄ）前方に向かってより狭くなっている水滴形状を有し、金属製であり、かつ不要なＸ線を遮断するのに十分な厚さの壁を有する、接地された真空ハウジングによって形成されたＸ線遮蔽手段と、
を含むことを特徴とするＸ線管。
【請求項２】
前記冷却手段が、前記外囲体の台座の下において前記空気流回路に曝されない領域に配置された温度検出器を含むことを特徴とする、請求項１に記載のＸ線管。
【請求項３】
前記外囲体の前記台座に対して平坦に配置されたＸ線フィルタを含み、前記温度検出器が前記台座と前記フィルタとの間に配置されていることを特徴とする、請求項２に記載のＸ線管。
【請求項４】
前記冷却手段装置が、
　（ａ）前記外囲体を囲む前記Ｘ線管のヘッドと、
　（ｂ）前記Ｘ線管ヘッドと前記外囲体との間に配置されたフィンの組と、
　（ｃ）前記アノードを回転させる手段の区域に最初に冷却空気を供給する空気流回路と、
を含むことを特徴とする、請求項１から請求項３のいずれか１項に記載のＸ線管。
【請求項５】
前記冷却手段が、前記空気流回路の出口において前記回転アノードの直近に配置された、入口空気を引き出すためのファンを含むことを特徴とする、請求項４に記載のＸ線管。
【請求項６】
前記冷却手段は、空気が、前記アノードを囲む前記外囲体の部分の上を通る前に、前記前方のカソードを囲む前記外囲体の部分の上を通るようにするフィンを含むことを特徴とする、請求項１から請求項５のいずれか１項に記載のＸ線管。
【請求項７】
前記外囲体に形成された円形ベアリング内に直接支持された、前記Ｘ線管を配向するためのピボットの組を含むことを特徴とする、請求項１から請求項６のいずれか１項に記載のＸ線管。
【請求項８】
前記アノードが、１００ｍｍの直径を有することを特徴とする、請求項７に記載のＸ線管。
【請求項９】
前記Ｘ線管の焦点を寸法設定するためのグリッドを含むことを特徴とする、請求項１から請求項８のいずれか１項に記載のＸ線管。
【請求項１０】
前記カソードが、第１のフィラメントと第２のフィラメントとを含むことを特徴とする、請求項１から請求項９のいずれか１項に記載のＸ線管。
【請求項１１】
（ａ）回転アノードとカソードとを有する真空外囲体と、
　（ｂ）空気が、前記アノードを囲む前記外囲体の部分の上を通る前に、前記カソードを囲む前記外囲体の部分の上を流れるようにする冷却手段と、
　（ｃ）前記真空外囲体を電気的に絶縁する手段と、
　（ｄ）１端に向かってより狭くなっており、かつＸ線を遮断するのに十分な厚さの壁を有する真空ハウジングによって形成されたＸ線遮蔽手段と、
　（ｅ）前記空気流に曝されない領域に配置された温度検知手段と、
を含むことを特徴とするＸ線管。
【請求項１２】
請求項１から請求項１１のいずれか１項によるＸ線管を含むことを特徴とするマンモグラフィ装置。
【発明の詳細な説明】
【技術分野】
【０００１】
　本発明は、放射線源を備えるマンモグラフィ装置に関し、具体的には、Ｘ線管を有するマンモグラフィ装置に関する。本発明は、そのようなマンモグラフィ装置及び該装置用の放射線源の人間工学的特性及び性能に関し、同時にそのコストの低減に関する。
【背景技術】
【０００２】
　マンモグラフィ装置は、患者の乳房のＸ線画像を撮るのに用いられる。マンモグラフィ装置は、乳癌の予防のための検査の進展と共にその重要性が増大してきている。従って、マンモグラフィ装置は、それについての医療相談の割合及び使用の頻度が非常に重要な装置である。使用頻度における重要な因子は、装置の経済的な実行可能性である。
【０００３】
　構造上かつその作動の原理により、マンモグラフィ装置は、垂直であるが時には斜めに配向させることができる支柱を備える。該装置には、患者がその上に乳房を置く乳房支持トレーが設けられる。乳房支持トレーは、Ｘ線画像の検出用の放射線感受性フィルム又は電子検出器のいずれかの上に重ねられる。画像取得プロトコルにおいて、乳房はＸ線撮影の時に圧迫される。支柱上を滑動し、手動或いは電動式の方法で乳房を圧迫できるパッドが、圧迫に用いられる。支柱の上端にはＸ線管が支持される。このように、上端から始まって、支柱には、垂直方向にＸ線管、パッド、乳房支持トレー及び検出器が支持される。
【０００４】
　Ｘ線管からの放射線は乳房に向けられる。放射線は、不要な放射線が患者の胸郭を透過するのを防止する絞りを用いて制限される。通常、放射線感受性フィルム又は検出器とＸ線管との間の間隔は、５０ないし７０ｃｍの範囲である。Ｘ線画像は、１倍に近い倍率で取得される。医師がより大きい倍率すなわち拡大画像を希望する場合には、支柱、すなわちＸ線管と放射線検出器を支持するトレーとは下降させることができ、一方、乳房支持トレーとパッドとは所定位置に保たれる。従って、乳房は、例えば中間高さにおけるような中間位置に置かれるので、その場合倍率は２倍に等しくなる。
【０００５】
　どのような操作モードが選択されても、マンモグラフィ装置特にＸ線管が占める空間の大きさにより、欠点が生じる。上述の説明のような標準状態において、検査されている患者は彼らの頭部をＸ線管の傍に置いている。乳房は患者胴部の側面に位置しているにも拘らず、Ｘ線管の幅により、通常、患者はＸ線管が所定の位置を取ることができるように、彼らの頭部を側方に傾けなければならないようになる。この問題は、検査される患者が姿勢の曲がった高齢者の場合により一層重大にある。この場合には、マンモグラフィ装置を使用する操作者は、Ｘ線管があるにも拘らず、患者が乳房を所定の位置に保つのを助けるために、Ｘ線操作の間に彼らの背中をかなり強く押さなければならない場合さえある。従って、Ｘ線管の幅、すなわち患者の前にある幅は、この種のマンモグラフィ装置の重要な特性である。
【０００６】
　マンモグラフィのために使用されるＸ線は強力なＸ線であることが必要であり、すなわち、それらＸ線は中程度の強度（Hardness）を有しながら高いスループット・レートを有しなければならない。実際には、Ｘ線管のカソードとアノードとの間にかかる高電圧は２０ないし３５キロボルトであり、殆どの場合２２ないし３３キロボルトである。この高出力のため、かつ１秒、２秒、３秒或いは４秒である可能性がある静止の持続時間を考慮して、Ｘ線管のアノードは回転アノードとされる。一般的に９０００ｒｐｍで回転するこの種の回転アノードは、カソードからの電子衝撃の前に常に更新されたターゲット領域を提供する。この更新は、アノードの放射面が、カソードの電子衝撃の影響で熱的に破壊されるのを防止する。一般的に言えば、Ｘ線管は、支柱に平行とすることができる軸線を有する筒状のスリーブによって支持されたカソードの形態をとり、一方、回転アノードは、この支柱に対して垂直とすることができ、その軸線自体もまた該支柱に平行である円筒形状のモータで動かされるディスクを有する。従って、このような構成の結果、アノードの直径は支柱に対して垂直な平面内に配置され、そのためＸ線管の幅に影響する。
【０００７】
　より重要な検査、すなわちそのために静止の持続時間が４秒にまで延長された検査においては、患者身体の一部が動くことがしばしばある。このような場合には、現像された画像は使用できないことが明らかとなる場合があり、患者はおそらく数日後に次の検査のために、呼び戻されなければならなくなる。この状況は、２つの問題を生じる。第１には、患者が２回検査に呼び出されるので、彼らは必要最小量よりも大きい放射線照射量を受ける。第２には、マンモグラフィ機械の経済的効率が、それによって低下する。従って、この問題に対する１つの解決法は、静止持続時間を短縮することである。しかしながら、静止持続時間の短縮は、検査の間に乳房に対して放射線強度の集積を与えることが望まれる場合には、この短縮された静止の間にＸ線をより強くしなければならないことが必要となる。アノードの直径が与えられている以上、このことは可能でない。さもなければ、アノードの放射面への過度の電子衝撃による、該放射面に対する損傷の危険性がある。
【０００８】
　従来技術においては、装置の経済的効率を向上させると同時に患者が受ける照射量を統計的に低減させるために、アノードの直径を増大させている。実際には、この種のアノードの直径は７０ｍｍから１００ｍｍに増大させることができる。
【０００９】
　７０ｍｍのアノード直径の場合、Ｘ線管の幅は１１５ｍｍであり、Ｘ線管ヘッドについての全幅は２０５ｍｍである。アノードの直径の増加は、Ｘ線管ヘッドの全幅における対応する増加を招き、従って患者身体の一部に対する不快感を増大させることになる。
【００１０】
　従来技術においては、Ｘ線管は外囲体を備え、該外囲体内においてＸ線管の一部がガラスで造られており、該外囲体は真空チャンバを形成している。このように形成されたＸ線管は、次いで外部ボックス又はハウジングに固定される。ハウジングは、金属製ボックスであり、通常、不要なＸ線を遮断できる鉛シートを内側に備えたアルミニウムで造られている。作動の熱的レベルでのＸ線管の冷却及びマンモグラフィ装置の永続的な使用を可能とするために、ハウジングと外囲体との間に位置する空間は、熱ベクターとして働く電気絶縁油で満たされる。組立の間に、ユニット全体は、患者に安心感を与えるのを助ける装飾カバー内に設置される。
【発明の開示】
【発明が解決しようとする課題】
【００１１】
　従来技術は、鉛及び非生分解性鉱物油の製造とその取扱いを必要とし、これらは環境に有害な作業であり、製造されたＸ線管の装置の耐用期間終了時におけるリサイクルの問題を生じる。
【課題を解決するための手段】
【００１２】
　本発明の実施形態は、ハウジング及びその鉛の層、並びに油及び該油の循環の排除をもたらす。従って、本発明のマンモグラフィ装置及びＸ線管の実施形態は、回転アノードとカソードとが取付けられた真空外囲体と、該外囲体を直接冷却する空気流回路を含む冷却手段と、ゴムのようなエラストマー継手によって取付けられたセラミックコネクタを含む電気絶縁手段と、全体として前方に向かってより狭くなっている水滴形状を有しかつ不要なＸ線を遮断するのに十分な厚さを有する、接地された真空ハウジングによって形成されたＸ線遮蔽手段とを備えるＸ線管を含む。
【発明を実施するための最良の形態】
【００１３】
　本発明及びその実施形態は、以下の説明及び添付の図面から更に明確に理解されるであろう。
【００１４】
　図１はＸ線管の分解斜視図である。Ｘ線管は、回転アノード２とカソード３とを備える外囲体１を有する。アノード２は、ロータ４に固定結合されたディスクの形態になっている。ディスク２は、Ｘ線を放射できる金属層でライニングされた外周端縁部５を有する。実施例においては、端縁部５は、モリブデン層及びロジウム層でそれぞれライニングされた２つの平行なターゲットトラックを有することができる。モリブデンは、より低い強度の放射線を発生させることができ、減弱のより少ない乳房、すなわち一般的に小さい乳房の検査用に設計されている。他方、ロジウム層は、減弱のより大きい乳房、すなわちより大きい乳房の検査用に設計されている。この目的のために、カソード３は、それに対応して２つのタングステン放射フィラメントを有する。これらのフィラメントは切替え可能であり、それぞれ２つの孔８及び９に面するように配置されている。
【００１５】
　カソード３には更に、放射の制限のための電子グリッドが設けられ、トラック６及び７によって形成されたターゲット上に電子を衝突させる寸法を、少なくとも１次元的、実際には２次元的に縮小するようになっている。その結果、制御ゲートに加えられるバイナリコマンドに応じて、Ｘ線放射焦点の直径は、１つの実施例においては、それぞれ０．３ｍｍ或いは０．１ｍｍとなる。より大きい焦点は、１倍に近い倍率を用いる通常の検査に使用される。より大きい焦点は、選択された低い倍率により、画像の鮮明さに関しては何等の欠点も生じない。その一方、より大きい焦点は、トラック６又は７に対する熱の影響のより効果的な分布を達成する利点を有する。これに代えて、例えば２倍のような倍率が医師によって要求された場合、この焦点寸法は、使用禁止となる場合があり、また画像における過度の不明瞭さを引き起こす可能性がある。そのときは、グリッドコマンドを用いて、より小さい焦点、一般的に０．１ｍｍである焦点を使用することが選択される。しかしながら、これらの特別な検査の回数は少ないので、Ｘ線管は、暫定的により高いエネルギー集中を容認することができる。
【００１６】
　外囲体１は、回転アノード２を収容する広い部分１０と、カソード３を収容する狭い部分１１とを備えるほぼ卵形の形状を有する。外囲体１は、鋼製であり、不要なＸ線を有効に阻止するような大きな厚さを有する。外囲体１の筒状の周壁をシールする台座１３内につくられた絞り、具体的には窓１２が、有効なＸ線の範囲を制限する。台座１３及び壁はＸ線遮蔽機能に関与する。実施例においては、外囲体の有効厚さは、約３又は４ｍｍ或いはそれ以上である。実施例においては、外囲体１と同様に台座１３も鋼製である。１つの実施例においては、窓１２によって形成された絞りは、２２°の開口角１４でＸ線放射を通過させる。
【００１７】
　台座１３は、ロータ４のシャフト端部１６に取付けられた振動吸収リング１５を保持する。ロータ４は、外囲体１の蓋部１８上に取付けられた第１のチューブ１７内で回転状態に保たれる。カソード３は、第１のチューブ１７に平行にかつ外囲体の直線部分１１に対して垂直に配置された第２のチューブ１９によって、アノードに面するように支持される。２つのチューブ１７及び１９は蓋部１８に対してシールされ、蓋部１８自体は周壁に対してシールされる。好ましくは、２つのチューブ１７及び１９もまた鋼製であり、Ｘ線を阻止するのに十分な厚さを有する。迷Ｘ線を阻止するストップ部材が、迷Ｘ線を防止する。
【００１８】
　空き領域２０内に、台座１３は更に、センサ（図示せず）を収容する空洞２１の形態の部位を備え、該センサは、アノード２の温度を測定するために該アノードに可能な限り近接して取付けられる。アノード２の温度は、重要な測定値である。更に、放射線スペクトルをごく僅かしか変化させない真空気密プラグ装置２２が、窓１２を閉塞する。ポンプ回路２３によって外囲体１内部に真空が形成され、該ポンプ回路２３はまた、アノードの品質状態を点検するための点検用ハッチとしても使用できる。
【００１９】
　Ｘ線に対する外部の隔離は、外囲体１の厚さによって得られ、該外囲体１は、窓部１２を除いた全ての方向において、全てのＸ線を効果的に阻止するのに十分な厚さを有する。この構成は、構造体の外側に取付けられなければならない筈であった鉛の付着層を備えたケーシングを用いる必要性を取除く。Ｘ線管の幅は、チューブ１７の軸線とチューブ１９の軸線とを含む平面に対して垂直な平面内で測定される。
【００２０】
　本発明の実施形態では、空気流冷却を用いた熱放散を行う。図２は、空気流２５を効果的に導くことができるフィン２４の組の概略図である。図２は、外囲体１をチューブ１７及び１９と共に側面図で示す。フィンの組２４は、チューブ１７及び１９の軸線によって形成された平面に関して、ほぼ対称な形状を有する。図２は、一側面のみを示している。空気は、チューブ１７及び１９に近接して上端位置に配置された空気入口２６を通して、チューブ１７の外部に沿ってかつ該チューブ１７の外部の周りを、より正確にはチューブ１７内に収容されたロータ４を駆動するステータ４１の周りを通過する。
【００２１】
　最初にステータ４１の区域と、またアノード２の一部における、Ｘ線管の金属製ヘッドの上端に位置する区域２７とを冷却することが望ましい。フィン２４の組は、空気流を導くように例えば金属薄板で作られた非常に薄い金属製ヘッド（図示せず）との組合せで冷却作用をもたらす。薄い金属製ヘッドは、平行６面体のケーシングを形成し、該ケーシングはＸ線管を収容する対称多角形の基部を有する。ケーシングは、空気が入口２６以外を通して入るのを防止し、かつ回転アノードに接近して配置された出口２８以外を通して出るのを防止する。挿入配置されたフィン２４の組は、分離面２９を形成する水平フィンを有する。分離面２９は、ステータ４１の上を通過する冷却空気流２５を、該冷却空気流がチューブ１９を通過した後にのみ、流れ３０で示すようにアノード２２に到達するように強制的に導く。流れ３０は、主としてポリマーで作られた機械的雄形部品である高電圧カソードコネクタを冷却するのに役立つ。次いで、流れ３０は、回転アノードが設置されている位置における外囲体１の区域を流れ３１のように通過する。符号３２のようなサイドフィンは、薄い金属ヘッドだけで行うよりも、流れ２５をチューブ１９上により良好に導くことができるようにする形式のものである。実用レベルにおいては、フィン２４は、空き部位３４（図１）にねじ込まれたラグ３３によって外囲体１に固定される。
【００２２】
　本発明の実施形態は、電気絶縁手段に向けられる。図３は、チューブ１９内でのセラミックコネクタ３５の配置状態を示している。コネクタ３５は、金属製ワッシャ３６によってチューブ１９内に更にシールされる。機械的雌形でありかつ電気的雌形であるコネクタ３５は、例えばゴムなどのエラストマー製シースのような絶縁体を有する機械的雄形でありかつ電気的雄形である対応するコネクタ４１を収容する。コネクタ４１のシースは、接続ストランド４２を把持し、真鍮製とすることができるクランプ４９に係合される。リッド４４が、コネクタ３５に向けてクランプ４９を後押しする。この目的のために、チューブ１９にねじ込まれたリッド４４は、クラウン４６に対して支持を行う凹形ネック部４５を備える。クラウン４６は、スプリング４７がクランプ４９上に支持されるように、該スプリング４７を押圧する。クランプ４９は、クラウン４６に形成された空洞部５０内に係合するように設計された誤防止又は精度ノッチ４８を有するのが好ましい。図３はまた、既に説明した種々の要素が電気絶縁に有利な種々の寸法を有する断面図を示している。この実施形態においては、高電圧コネクタの位置での温度は連続作動において１０５℃を超えてはならず、さもなければコネクタの材料が過度の高温で劣化する可能性がある。過度に高い温度よりも低い限界値を採用すれば、この劣化が避けられる。この限界温度は変更することができる。
【００２３】
　図３は、回転アノード２の位置において、外囲体１の台座１３内に直接形成された空き領域２０を示す。窓部１２及び空き領域２０に面してフィルタが配置される。フィルタは、有効なＸ線のより効果的な制御を可能とする、ロジウム又はモリブデン或いは他の材料で作られる。図示されるように、フィルタ或いは他の部品が、空洞２１内に配置された温度センサを上から覆っている。この構成は、温度センサそれ自体が特別に冷却されないようになることを保証し、その結果、センサが示す温度は、該センサ位置での外囲体１の真の温度であって、該センサが曝される可能性があった空気流の温度ではないようにする。空洞２１の近傍にセンサ部品のために配置されたリング１５は、しきい値以下の温度に耐えなければならない。
【００２４】
　冷却システムにおける温度の安定的な勾配は、冷却チューブの公称作動条件下でのチューブ１９の位置における温度、従ってコネクタ３５及び４１の位置での温度をそれから推定するために、単一のセンサを用いて空洞２１の位置における温度を測定すれば十分であるようになっている。単一の温度センサを用いて、装置の全体における温度を評価することが可能である。従って、空洞２１内に配置されたセンサによって送られる信号は、Ｘ線操作の実行を許可するか又は許可しないかのために使用することができる。
【００２５】
　冷却回路は、出口孔２８に近接して配置された単一の換気ファンを備える。変形例として、冷却回路は、注入孔２６近くに配置された１つの換気ファンを備えてもよい。Ｘ線管の位置を考慮すれば、有効なＸ線は概して下向きに向いており、ファンは、回転アノード２に近接した低い高さ位置に設置される。薄い金属製ヘッドは、空気流３０がチューブ１９の冷却からアノード区域３１の冷却へと通過するように反転されることを可能にする。
【００２６】
　画像の拡大が計画されたとき、Ｘ線管のカソードのグリッドに対して、２次元の焦点寸法を縮小するような動作が行われる。１つの次元の焦点寸法を縮小するためには、Ｘ線管を傾斜させることも可能であり、また他の絞りを使用することも可能である。一般的に、最も強力な放射線は、トラック５及び６の平面に対して最も傾斜させたときのものである。この目的のため、外囲体１は、支柱に固定されたストラップ（図示せず）によって更に保持されたピボットを受けるための円形のベアリング３７を備える。ストラップ及びピボットは更に、薄い外囲体及び装飾カバーを保持するためにも用いることができる。ピボットは、外囲体１それ自体に形成された円形ベアリング３７を直接に押圧する。これらのベアリング３７の位置において、外囲体は機械的保持機能をもつ付加的厚さ３８を有する。
【００２７】
　図４は、外囲体１のほぼ卵形の水滴形状を示し、かつこの外囲体の広い部分にアノード２が封入され狭い部分にカソード３が封入されていることを示す。図４は、窓８又は９に面する、カソード３のフィラメント３８の１つを示す。この実施形態において、アノード２は１００ｍｍの直径を有し、外囲体１はその最も広い箇所で約１１５ｍｍの寸法を有する。薄い金属製ヘッド３９と、重ねたプレゼンテーション装飾カバー４０とを含めれば、この実施形態では、幅方向において最も広い箇所で全寸法が１５０ｍｍとなり、また患者の頭部が通常位置する、カソード３の近傍において最も狭くなる。ヘッド３９及びカバー４０は象徴的に示されている。
【００２８】
　それにも拘わらず、Ｘ線管用に厚い金属製外囲体が造られている。厚い金属製外囲体は、その厚さによって不要なＸ線を遮断することができる。従って、Ｘ線防護が達成される。実施例においては、金属製外囲体は鋼製であり、そのＸ線遮断能力は鉛のそれよりも低い。しかしながら、外囲体厚さにおける増加は、それが大きいものであっても、鉛ライニングされたアルミニウムのハウジングがなくなることにより、全体的には、全幅の縮小に寄与する。
【００２９】
　冷却については、油を使用するのではなくて、空気冷却システムが用いられ、特定の部分が最初に効果的に冷却されるようにその循環が更に設計される。
【００３０】
　電気絶縁に関しては、外囲体が接地されると同時に、カソードの挿入が、電気絶縁体を形成するセラミックコネクタを用いて達成される。従って、電気的破壊域は、カソード接続の位置では避けられる。この場合、空気が油に置換わっており、かつ周辺空気は油の絶縁性と比較したときそれに足りるほどの電気絶縁性は有していないので、破壊域が発生する場合がある。
【００３１】
　これにより、特に従来技術では必要であった機能的厚さの１つを除去することにより、期待される結果、すなわちＸ線管の全幅の縮小が達成される。更に、外囲体は、患者の頭部に近接した１つの端部が他の端部よりより狭くなった状態の卵形の水滴形状を有することができる。本発明の実施形態において、より狭い形状部分にはカソードが収容され、このより狭い幅部分は、患者の頭部の傍に優先して位置するものである。実際には、カソードのスリーブの軸線とカソードのモータの軸線とは同一平面上にあり、従って支柱を通る平面を形成する。
【００３２】
　このように、７０ｍｍ直径のアノードを有しＸ線管ヘッドのための２０５ｍｍの全幅を有するＸ線管から、１００ｍｍ直径のアノードを有しＸ線管ヘッドのための１０５ｍｍの全幅を有するＸ線管とし、同時に１１５ｍｍのＸ線管幅を保つことができる。この結果は、Ｘ線管と全体ヘッドとの一体形実施形態を選択することにより達成される。
【００３３】
　当業者は、本発明の範囲及び限度から逸脱することなく、開示した実施形態及びそれと等価なものについての、構造及び／又は方式及び／又は機能及び／又は成果及び／又は段階及び／又は方法に対する種々の変更を行い或いは提案することができる。
【図面の簡単な説明】
【００３４】
【図１】マンモグラフィ装置用のＸ線管の分解斜視図。
【図２】冷却装置としてフィンが設けられたＸ線管の側面図。
【図３】Ｘ線管の側面断面図。
【図４】図３に示した図に対して垂直な方向に見たＸ線管の断面図。
【符号の説明】
【００３５】
　１　外囲体
　２　回転アノード
　３　カソード
　４　ロータ
　６、７　トラック
　８、９　孔
　１０　広い部分
　１１　狭い部分
　１２　窓
　１３　台座
　１７　第１のチューブ
　１８　蓋部
　１９　第２のチューブ
　２２　真空気密プラグ装置
　２３　ポンプ回路
【図１】
2004103585.tif 000003
【図２】
2004103585.tif 000004
【図３】
2004103585.tif 000005
【図４】
2004103585.tif 000006